(57)【要約】【課題】装着者が装着する吸収性物品の適合サイズを、消費者が視覚的又は感覚的に選択できるようにする。【解決手段】上記課題は、包装袋１を持つ持ち部を上にして包装体１を立てたときに、記包装体１は、上下方向かつ幅方向を回る外周長さと、上下方向かつ奥行き方向を回る外周長さと、幅方向かつ奥行き方向を回る外周長さとからなる３つの外周長さを有し、前記吸収性物品１１０は、前記３つの外周長さのうちの最長の外周長さが、残りの２つの外周長さよりも長く、前記吸収性物品１１０は、前記残りの２つの外周長さのうちのいずれか一方の長さから前記最長の外周長さまでの範囲内の胴回り長さ又は腰回り長さである装着者に装着されるものである、ことを特徴とする吸収性物品の包装袋で解決できる。【選択図】図３
2020158195.tif 000002
【特許請求の範囲】
【請求項１】
吸収性物品が収容される略直方体状からなる包装袋であって、
前記包装体は、
上下方向かつ幅方向を回る外周長さと、上下方向かつ奥行き方向を回る外周長さと、幅方向かつ奥行き方向を回る外周長さとからなる３つの外周長さを有し、
前記吸収性物品は、前記３つの外周長さのうちの最長の外周長さが、残りの２つの外周長さよりも長く、
前記吸収性物品は、前記残りの２つの外周長さのうちのいずれか一方の長さから前記最長の外周長さまでの範囲内の胴回り長さ又は腰回り長さである装着者に装着される、ものである、  ことを特徴とする吸収性物品の包装袋。
【請求項２】
前記包装袋は、前記残りの２つの外周長さが相互に異なる長さであり、
前記吸収性物品は、最短の外周長さから前記最長の外周長さまでの範囲内の胴回り長さ又は腰回り長さである装着者に装着されるものである、
請求項１に記載の吸収性物品の包装袋。
【請求項３】
前記残りの２つの外周長さが相互に等しい、
請求項１に記載の吸収性物品の包装袋。
【請求項４】
前記包装体は、
上下方向、かつ幅方向を回る外周長さが最長である、
請求項１に記載の吸収性物品の包装袋。
【請求項５】
前記装着者により装着される前記吸収性物品のサイズを、前記包装袋の外周長さにより確認できるという情報が表示された情報表示部を、前記包装袋の外面に備える、
請求項１に記載の吸収性物品の包装袋。
【請求項６】
前記装着者により装着される前記吸収性物品のサイズを、前記包装袋の外周長さにより確認できるという情報が表示された情報表示部を、広告媒体に備えて販売される、
請求項１に記載の吸収性物品の包装袋。
【発明の詳細な説明】
【技術分野】
【０００１】
本発明は、パンツタイプ使い捨ておむつやテープタイプ使い捨ておむつ等の吸収性物品を収容する包装袋に関する。
【背景技術】
【０００２】
多数枚の使い捨ておむつの包装形態として、ガセット袋が一般に使用されている。さらに、近年においては、一袋単位の使い捨ておむつの収納枚数を多くするために、使い捨ておむつを圧縮状態で包装するいわゆる圧縮（コンパクション）包装が汎用されている。
【０００３】
こういった使い捨ておむつが圧縮包装された包装袋が店頭に陳列され、消費者は陳列された包装袋を取得（購入）する。
【０００４】
これら包装袋には、通常Ｓサイズ、Ｍサイズ、・・・など包装袋に内包される使い捨ておむつのサイズが表示されており、消費者は装着者に合ったサイズを取得（購入）する。これらサイズは例えば、装着者の胴回り長さ又は腰回り長さによって決められている。例えば、パンツタイプ使い捨ておむつについては、装着者の胴回り長さが下限５０〜上限７０ｃｍの範囲内であれば、Ｓサイズが表示された包装袋を消費者は取得（購入）する。
【０００５】
消費者又は装着者の中には、装着者の胴回り長さを知らない者もおり、Ｓサイズを取得すべきか、Ｍサイズを取得するべきか迷う場合がある。この場合、メジャーなどで装着者の胴回り長さを測定することがあるが、測定するためには、装着者が薄着になったり、試着するのは煩雑であり手間がかかる。また、薄着になったり、試着したりすることを恥ずかしがる装着者もいるという問題点がある。
【０００６】
特許文献２は、視覚障害者であっても所望の吸収性物品を容易に選択する技術であるが、そもそも自身の胴回り長さを知らないと所望の吸収性物品を選択できない。
【特許文献１】特開２０１８−１０２８４５号公報
【特許文献２】特開２０１１−１８４０７６号公報
【特許文献３】特開２００９−２６９６２２号公報
【発明の開示】
【発明が解決しようとする課題】
【０００７】
そこで、本発明の主たる課題は、装着者が装着する吸収性物品の適合サイズを、消費者が視覚的又は感覚的に選択できるようにすることにある。
【課題を解決するための手段】
【０００８】
上記課題を解決した本発明は次記のとおりである。
【０００９】
＜第１の態様＞
吸収性物品が収容される略直方体状からなる包装袋であって、
前記包装体は、
上下方向かつ幅方向を回る外周長さと、上下方向かつ奥行き方向を回る外周長さと、幅方向かつ奥行き方向を回る外周長さとからなる３つの外周長さを有し、
前記吸収性物品は、前記３つの外周長さのうちの最長の外周長さが、残りの２つの外周長さよりも長く、
前記吸収性物品は、前記残りの２つの外周長さのうちのいずれか一方の長さから前記最長の外周長さまでの範囲内の胴回り長さ又は腰回り長さである装着者に装着される、ものである、  ことを特徴とする吸収性物品の包装袋。
【００１０】
所定サイズの吸収性物品が収容された略直方体状包装袋において、互いに直交する３つの外周長さのうちの２つの外周長さで、同所定サイズ用吸収性物品の胴回り長さの適用範囲を表している。消費者が包装袋を見たり、手に取ったりすれば視覚的又は感覚的に外周長さを把握でき、装着者の胴回り長さと比較して、装着者に適合するサイズの吸収性物品を取得（購入）することができる、との効果を有する。また装着者は、服を着用したままでも包装袋を見たり、身体にあてたりすることで、所望のサイズの吸収性物品を取得（購入）でき、自身の胴回り長さを測定しなくてもよいし、薄着になったり、試着したりしなくてもよいので恥ずかしがらずに済む。この点、特許文献１は吸収性物品の包装袋に関する技術であるが、装着者が装着する吸収性物品の適合サイズ（例えば、Ｓサイズ、Ｍサイズ、Ｌサイズ、ＬＬサイズ、これら以外のサイズ等のうちから装着者が装着するサイズ）を、消費者が視覚的又は感覚的に選択できるようにするとの目的を有するものではない。また特許文献３は、容易にサイズを図ることができる技術に関するものであるが、本発明のように視覚的または感覚的に外周長さを把握できる技術に関するものではない。
【００１１】
＜第２の態様＞
第１の態様に加え、
前記包装袋は、前記残りの２つの外周長さが相互に異なる長さであり、
前記吸収性物品は、最短の外周長さから前記最長の外周長さまでの範囲内の胴回り長さ又は腰回り長さである装着者に装着されるものである、
態様を挙げることができる。
【００１２】
装着者の胴回り長さが包装袋の最短の外周長さ以上、最長の外周長さ以下であれば、この包装袋に収容される吸収性物品がこの装着者に適合するサイズとなる。また、装着者が自分の胴回り長さ又は腰回り長さを逸脱したサイズの吸収性物品を取得（購入）することを防止できる。
【００１３】
＜第３の態様＞
第１の態様に加え、
前記残りの２つの外周長さが相互に等しい、
態様を挙げることができる。
【００１４】
この形態では、外周長さが３つではなく、２つになる。例えば、短い外周長さを吸収性物品における適合サイズの下限長さとし、長い外周長さを上限長さとすると、購入者は、包装袋の外周長さと、胴回り長さ又は腰回り長さとの比較がより容易になる。購入者は、短い外周長さ以上、長い外周長さ以下の範囲で適合するサイズの吸収性物品を取得（購入）することになる。
【００１５】
＜第４の態様＞
第１の態様に加え、
前記包装体は、
上下方向、かつ幅方向を回る外周長さが最長である、
態様を挙げることができる。
【００１６】
この形態にすると包装体の全面が最大面積になる。各種の吸収性物品が収容された包装袋が店頭に陳列されている状況で、包装袋の前面が最大面積である形態は目立ち、消費者の注目を惹く。
【００１７】
＜第５の態様＞
第１の態様に加え、
前記装着者により装着される前記吸収性物品のサイズを、前記包装袋の外周長さにより確認できるという情報が表示された情報表示部を、前記包装袋の外面に備える、
態様を挙げることができる。
【００１８】
情報表示部を視認した消費者は、この包装袋の外周長さと装着者の胴回り長さ又は腰回り長さを比較することで所望のサイズの吸収性物品を取得（購入）できることを知り得る、との効果を有する。
【００１９】
＜第６の態様＞
第１の態様に加え、
前記装着者により装着される前記吸収性物品のサイズを、前記包装袋の外周長さにより確認できるという情報が表示された情報表示部を、広告媒体に備えて販売される、
態様を挙げることができる。
【００２０】
上述同様、情報表示部を視認した消費者は、この包装袋の外周長さと装着者の胴回り長さ又は腰回り長さを比較することで所望のサイズの吸収性物品を取得（購入）できることを知り得る、との効果を有する。
【発明の効果】
【００２１】
以上のとおり本発明によれば、装着者が装着する吸収性物品の適合サイズを、消費者が視覚的又は感覚的に選択できるようにする等の利点がもたらされる。
【図面の簡単な説明】
【００２２】
【図１】吸収性物品を詰めいれた状態の包装袋の斜視図である。
【図２】図１のＡ−Ａ断面図である。
【図３】包装袋の外周長さを示す図である。
【図４】パンツタイプ使い捨ておむつの装着時の図である。
【図５】テープタイプ使い捨ておむつの装着時の図である。
【図６】図１のＢ−Ｂ断面図である。
【図７】袋の折り込みを平坦に折り畳み前後面を重ねた状態を示す（ａ）Ｃ−Ｃ断面図及び（ｂ）正面図である。
【図８】吸収性物品を詰めいれた状態の別形態の包装袋の斜視図である。
【図９】吸収性物品を詰めいれた状態の別形態の包装袋の斜視図である。
【図１０】パンツタイプ使い捨ておむつを展開したときの平面図である。
【図１１】テープタイプ使い捨ておむつを展開したときの輪郭を示す平面図である。
【図１２】吸収性物品を詰めいれた状態の別形態の包装袋の斜視図である。
【図１３】情報表示部の図である。
【図１４】情報表示部による表示を示す図である。
【図１５】情報表示部による表示を示す図である。
【図１６】吸収性物品を詰めいれた状態の別形態の包装袋の斜視図である。
【発明を実施するための形態】
【００２３】
（用語の定義等）
本明細書においては、図１を参照しつつ説明すると、前面３と後面４を結ぶ方向は奥行き方向といい、ｘ軸線に一致するものとする。左側面２ａと右側面２ｂを結ぶ方向は幅方向といい、ｙ軸線に一致するものとする。上面５と下面６を結ぶ方向は上下方向といい、ｚ軸線に一致するものとする。「胴回り長さ」とは、装着者及び／又は吸収性物品（特にパンツタイプ使い捨ておむつ）の胴の回りの長さをいう。「腰回り長さ」とは、装着者及び／又は吸収性物品（特にテープタイプ使い捨ておむつ）の腰の回りの長さをいう。「外周長さ」とは、ものの外側に沿った周りの長さをいう。例えば、包装袋の外周長さを、例えば、包装袋を手で持ったり肩に掛けたりする部分である持ち部を上にして包装体を立てたときに、上下方向かつ幅方向を回る外周長さと、上下方向かつ奥行き方向を回る外周長さと、幅方向かつ奥行き方向を回る外周長さと、で表すことができる。具体例でいうと、正面視（ｘ軸方向に見た場合）で上下方向かつ幅方向を回る外周長さとは上面５中央から上面５に沿って幅方向右側に進み、右側面２ｂに折れ曲がり右側面２ｂに沿って上下方向下側に進み、下面６に折れ曲がり下面６に沿って幅方向左側に進み、左側面２ａに折れ曲がり左側面２ａに沿って上下方向上側に進み、上面５に折れ曲がり上面５に沿って幅方向右側に進んで上面５中央に到達するまでの最短の長さ（一周分の長さ）をいう。上下方向かつ奥行き方向を回る外周長さと、幅方向かつ奥行き方向を回る外周長さについても同様に一周分の長さをいう。なお、図示例では、直方体状包装袋の８つの角は直角、１２つの辺は直線、６つの面は平面となっているが、この形態に限定されることはない。例えば、図１６に示すように角が丸みを帯びてもよいし、辺及び面が湾曲してもよい。また、隣り合う面相互は１辺を同じくして隣接しなくてもよく、隣り合う膨らみをおびた面相互が辺を形成せずに、丸みを帯びて隣接してもよい。なお、上面については上面５と上端部７とを略同面形状に畳んだ形態にした状態で外周長さを考慮するものとするものとし、下面については下面６と下端部８とを略同面形状に畳んだ形態にした状態で外周長さを考慮する。
【００２４】
なお前述に関わらず、持ち部を横にしたときでも、逆さに立てたときでも同様に、包装袋の外周長さを、上下方向かつ幅方向を回る外周長さと、上下方向かつ奥行き方向を回る外周長さと、幅方向かつ奥行き方向を回る外周長さと、で表すことができる。
【００２５】
以下、図面に示す実施の形態に基づいて本発明をさらに詳説する。図１〜図４及び図６、図７は、本発明に係る包装袋１を示している。この包装袋１はいわゆる側面折り込み型のガセット袋である。しかしながら、これに限らず、包装袋１はいわゆる前面及び後面折り込み型のガセット袋であってもよい。筒状プラスチックチューブの幅方向両端をそれぞれ長手方向に沿う折り目２ｃにより各々内側に折り込んでまちを形成し、かつ所定長に切断した上端部７（図示例では上端部７の上端縁と下端縁）を融着または接着等によりシールしたものである。包装時には吸収性物品は下端部８から挿入し、下端部８の上端縁（下端部８と下面６との境界線）をシールして、丸みを帯びた略直方体形状の包装袋となる。これにより左側面２ａ、右側面２ｂ、前面３、後面４、上面５および下面６が形成される。また、上下端縁をシールして形成された上端部７には幅方向中央部に奥行き方向に手を通すための持ち部（手掛け孔９ともいう）が形成されている。もちろん、本発明の包装袋１はこの形態に限定されるものではなく、図１２に示すように上面５の幅方向の両端部に持ち部（手提げループ４１ともいう）の各両端部を融着等の適宜の結合手段により取付けた形態等、適宜の形態を採用することができる。包装袋１の材質についてはプラスチックフィルムが一般的であるが、紙や不織布等のシート材、またこれらを複合したシート材を用いてもよい。
【００２６】
包装袋１の内部には吸収性物品１１０が適宜の配列状態で収容されている。例えば使い捨ておむつは、身体側表面を形成する透液性トップシートと、外面側に位置する液不透過性シートとの間に吸収体が介在する部分である吸収性本体部と、この吸収性本体部の両側縁からそれぞれ延出する部分であって、かつ吸収体を有しない部分であるサイドフラップ２９と、この吸収性本体部の前後側端からそれぞれ演出する部分であって、かつ吸収体を有しない部分であるエンドフラップ３０を有するものである。吸収性物品のうち、テープタイプ使い捨ておむつやパンツタイプ使い捨ておむつの場合は、吸収性本体部ならびにサイドフラップ部の外面全体が外装部により形成され、外装部が所謂おむつカバーのように着用者の下腹部から臀部にかけての胴回り長さ及び股間部全体を覆うようになっている。また、装着者の股間に対向する股間部Ｃ２（Ｃ２ａ）と、股間部Ｃ２（Ｃ２ａ）から前側に延在する腹側部Ｆｒ（Ｆ）と、股間部Ｃ２（Ｃ２ａ）から後側に延在する背側部Ｂａ（Ｂ）とからなる。このような吸収性物品１１０は、前後を合わせるような２つ折りまたは前後それぞれを中央にあわせるような３つ折りされて包装されることが一般的であり、場合によっては４つ折り以上に折り畳まれて包装されることもある。（なお、パンツ式使い捨ておむつは、前身頃と後身頃の両側部が接合されるため、製品状態で２つ折りされている。）また、サイドフラップ部が大きい場合は、各サイドフラップ２９（２９ａ）は吸収体側部近傍に沿って内側に折り畳まれる。吸収性物品１１０の包装においては、通常はこのような吸収性物品１１０を多数枚集合し、平面部を合わせるように重ねて圧縮した集合体を包装している。この場合、おむつの平面方向が包装袋１の側面と平行になるように包装するのが好ましいが、おむつの奥行き方向は、包装袋１の上下方向あるいは奥行き方向のいずれに沿うようになっていてもよい。また、図２に示すようにこの集合体は、２段積みされてもよいし、1段積みや３段積みされて、包装されてもよい。
【００２７】
包装袋１の素材としては、ポリエチレン（ＰＥ）、ポリプロピレン（ＰＰ）、ポリエチレンテレフタレート（ＰＥＴ）、ナイロンなど、通常包装に使用されるプラスチックフィルムを単体で又は複合素材として使用することができる。吸収性物品の分野では、ポリエチレンフィルムが汎用されているため好ましく、中でも柔軟性に富むＬＤＰＥ（低密度ポリエチレン：密度０．９００〜０．９２５ｇ／ｃｍ3）やＭＤＰＥ（中密度ポリエチレン：密度０．９２５〜０．９４０ｇ／ｃｍ3）が好適である。フィルムの厚みとしては、４０〜８０μｍ程度が好適である。
【００２８】
一例に、消費者又は装着者は、適合サイズを、パンツタイプ使い捨ておむつでは胴回り長さで選び、テープタイプ使い捨ておむつでは腰回り長さで選ぶ。しかしながら、これに限らず、パンツタイプ使い捨ておむつ又はテープタイプ使い捨ておむつを、消費者又は装着者は、胴回り長さや腰回り長さで選んでももちろんよい。以下、吸収性物品１１０のうちの主にパンツタイプ使い捨ておむつ１００について実施形態を詳細する。なお、詳細する実施形態はテープタイプ使い捨ておむつ１００ａについても同様に当てはまるものであり、この場合、「胴回り長さ」を「腰回り長さ」と読み替えることができる。
【００２９】
（吸収性物品サイズ）
吸収性物品１１０は装着者の体形に合うように複数のサイズに製造される。同一サイズの吸収性物品１１０を多数枚集合し、平面部を合わせるように重ねて圧縮した集合体が包装されている。吸収性物品１１０（例えば、パンツタイプ使い捨ておむつやテープタイプ使い捨ておむつ）は、複数のサイズに製造され、例えば、Ｓサイズ、Ｍサイズ、Ｌサイズ、ＬＬサイズ等のサイズが製造される。もちろん、これらより小さい又は大きいサイズであっても製造可能である。パンツタイプ使い捨ておむつ１００についてＳサイズであれば、胴回り長さが下限５０〜上限７０ｃｍの範囲内の装着者が、装着するように設計されている。装着したときに排泄物の漏れを確実に防ぎ、かつ装着者が違和感を受けないことはいうまでもない。同様にＭサイズのパンツタイプ使い捨ておむつ１００は胴回り長さ３０Ｌがおよそ下限６０〜上限８５ｃｍである装着者向けであり、Ｌサイズの吸収性物品１１０は胴回り長さ３０Ｌがおよそ下限７５〜上限１１０ｃｍである装着者向けである。また、ＬＬサイズやそれ以上のサイズもそれらサイズに対応する装着者向けに設計してもよい。
【００３０】
よって、装着者は自身の胴回り長さ（又は腰回り長さ）にあったサイズの吸収性物品１１０を選択することになる。
【００３１】
（包装袋サイズ）
1つの包装袋に収容される吸収性物品１１０は全て同一サイズからなる。例えば、Ｓサイズの吸収性物品１１０は同Ｓサイズの吸収性物品１１０の集合体が１つの包装袋１に収容される。本実施形態の包装袋１には、包装されている吸収性物品１１０のサイズを表示してもよいし、しなくてもよい。具体的には、Ｓサイズの吸収性物品１１０の集合体が収容された包装袋１の外面に、「Ｓ」や「Ｓサイズ」等サイズを表す文字、記号等を表示してもよいし、しなくてもよい。ＭサイズやＬサイズ等他のサイズの吸収性物品１１０が収容された包装袋１の外面についても同様に、対応するサイズを表す文字、記号、イラスト等を表示してもよいし、しなくてもよい。
【００３２】
包装袋１は、３つの外周長さ（１１ｘｙ、１１ｙｚ、１１ｚｘ）のうちの最長の外周長さが残りの２つの外周長さよりも長い。そして、同包装袋１の残り２つの外周長さのうちのいずれか一方の長さから最長の外周長さまでの範囲内における胴回り長さ（又は腰回り長さ）である装着者に装着される吸収性物品１１０が収容された、包装体１の形態を例示できる。またこの形態に加えて、残りの２つの外周長さが相互に異なる長さであり、同包装体１の最短の外周長さから最長の外周長さまでの範囲内における胴回り長さである装着者に装着される吸収性物品１１０が収容された包装袋１の形態を例示できる。ここで、特定サイズの吸収性物品１１０の胴回り長さ（又は腰回り長さ）の下限を下限胴回り長さ（又は下限腰回り長さ）、上限を上限胴回り長さ（又は上限腰回り長さ）とする。そうすると、胴回り長さ（又は腰回り長さ）が吸収性物品１１０の下限胴回り長さ（又は下限腰回り長さ）から上限胴回り長さ（又は上限腰回り長さ）までの範囲に含まれる装着者が、この特定サイズの吸収性物品１１０を装着することができる。この形態にすると、この包装袋１を手に取って装着者の胴回り長さと比べるときに、仮に間違えて装着者の胴回り長さを２番目に短い包装袋１の外周長さと比べ、結果この製品を取得しても、なんら問題は生じない。取得したこの製品を装着する装着者の胴回り長さ（又は腰回り長さ）は、同特定サイズの下限と上限の範囲内であるので、製品を問題なく使用できる。
【００３３】
Ｓサイズ、Ｍサイズ、Ｌサイズ、ＬＬサイズ、これらより小さい又は大きいサイズの吸収性物品１１０について適宜包装袋１の寸法を定めることが可能であるが、Ｓサイズを一例にして次記に説明する。Ｓサイズのパンツタイプ使い捨ておむつ１００はおよそ胴回り長さが下限５０〜上限７０ｃｍである装着者向けである。この場合、Ｓサイズ用の包装体１の最短外周長さが、Ｓサイズパンツタイプ使い捨ておむつ１００の胴回り長さの下限３０Ｌ、包装体１の最長外周長さが、Ｓサイズパンツタイプ使い捨ておむつ１００の胴回り長さの上限３０Ｌ´になるように包装袋１の寸法を定めることができる。
【００３４】
他にも、幅方向かつ奥行き方向を回る外周長さ１１ｘｙが最長であり、かつ、上下方向かつ奥行き方向を回る外周長さ１１ｘｚが最短である包装袋１にＳサイズのパンツタイプ使い捨ておむつ１００の集合体を包装する場合は次のようにすることができる。最短の外周長さ１１ｘｚが５０ｃｍ（下限の胴回り長さ３０Ｌと同じ長さ）であり、最長の外周長さ１１ｘｙが７０ｃｍ（上限の胴回り長さ３０Ｌ´と同じ長さ）になるように包装袋１の寸法を定めてもよい。別形態として、例えば、上下方向かつ幅方向を回る外周長さ１１ｙｚが最長であり、かつ、幅方向かつ奥行き方向を回る外周長さ１１ｘｙが最短である包装袋１（図８参照）等、適宜の形態を提示できる。
【００３５】
さらに、上記、残りの２つの外周長さが相互に等しい包装体の形態は好ましい。この形態では外周長さが２種類のになる。例えば、外周長さ１１ｘｙをＳサイズのパンツタイプ使い捨ておむつ１００における下限の胴回り長さ３０Ｌと同じ長さにし、外周長さ１１ｙｚを上限の胴回り長さ３０Ｌ´と同じ長さにすることができる。包装袋１の外周長さが２種類なので、この製品を取得しようとする者は、製品を手に取ったときにより容易に、装着者が装着できるサイズであるかどうかを選択することができる。なお、外周長さ１１ｘｙをＳサイズのパンツタイプ使い捨ておむつ１００における上限の胴回り長さ３０Ｌ´と同じ長さにし、外周長さ１１ｙｚを下限の胴回り長さ３０Ｌと同じ長さにすることもできる。この形態の包装袋１は、言うまでもないが、Ｓサイズ以外のパンツタイプ使い捨ておむつ１００、例えば、ＭサイズやＬサイズ、その他のサイズのパンツタイプ使い捨ておむつ１００にも適用可能である。
【００３６】
また、上下方向における一端縁から他端縁までの長さと幅方向における一端縁から他端縁までの長さの比を５：８にすると、前面３における縦横それぞれの長さ比が黄金比に近似し包装袋１の審美性に優れ好適である。
【００３７】
（文字表示）
包装袋１を取得（購入）する者が装着者の体形に合うサイズの吸収性物品１１０を取得し易くするために、装着者により装着される吸収性物品１１０のサイズを、包装袋１の外周長さにより確認できるという情報が表示された情報表示部４２を、前記包装袋の外面に備えるとよい。例えば、文字や記号、イラスト等で包装袋１に表示するとよい。「吸収性物品は、３つの外周長さのうちの最長の外周長さが、残りの２つの外周長さよりも長く、吸収性物品は、残りの２つの外周長さのうちのいずれか一方の長さから最長の外周長さまでの範囲内の胴回り長さである装着者に装着される、ものである」と包装袋１に表示したり、「胴回り長さが、包装袋の一番短い外周長さと一番長い外周長さとの範囲内である人は、この製品が最適サイズです」と表示したり、「包装袋の外周長さが実寸大の胴回り長さ（又は腰回り長さ）になっています」と表示したりすることができるが、同様の意味を有する文面であれば適宜、文面を変更することができる。このように表示することで、胴回り長さ（又は腰回り長さ）が下限胴回り長さ（又は下限腰回り長さ）〜上限胴回り長さ（又は上限腰回り長さ）まである装着者は、同包装袋１を取得し易くなり好適である。例えば、Ｓサイズのパンツタイプ使い捨ておむつ１００が下限胴回り長さ３０Ｌ（下限５０ｃｍ）〜上限胴回り長さ３０Ｌ´（上限７０ｃｍ）までの装着者に対応するように設計されている場合、下限胴回り長さＬａ（下限５０ｃｍ）〜上限胴回り長さ３０Ｌ´（上限７０ｃｍ）までの体形を有する装着者は、Ｓサイズの吸収性物品１１０を取得すればよいことになる。同様にＭサイズのパンツタイプ使い捨ておむつ１００が別の下限胴回り長さ（下限６０ｃｍ）〜別の上限胴回り長さ（上限８５ｃｍ）までの装着者に対応するように設計されている場合、別の下限胴回り長さ（下限６０ｃｍ）〜別の上限胴回り長さ（上限８５ｃｍ）までの体形を有する装着者は、Ｍサイズのパンツタイプ使い捨ておむつ１００を取得すればよいことになる。Ｌサイズ、ＬＬサイズ、これらより小さい又は大きいサイズについても同様である。
【００３８】
文字、記号及びイラスト等の少なくともいずれか一方を表示することができる。表示する位置は適宜定めることができ、包装袋１の６面のうちの少なくともいずれかの面に表示することができる。表示する面積は、例えば、表示する面の面積のうち１０〜９０％、より好ましくは２０〜８０％、さらに好ましくは３０％〜７０％の大きさとすると、製品を取得しようとする者が容易に視認でき好ましい。また、表示する位置は、例えば、表示する面の左側部、右側部、上側部、下側部、中央部とすることができる。さらに、表示する位置を上端部７や手提げループ４１にしてもよい。
【００３９】
また、図１３に例示するイラストを包装袋１に表示することができる。
【００４０】
（ＰＯＰ広告等）
装着者により装着される吸収性物品のサイズを、包装袋の外周長さにより確認できるという情報が表示された情報表示部４２を、広告媒体４３に備えて販売する形態は好ましい。広告媒体は公知の手段を適宜用いることができ、一例に文字、記号及びイラストをＰＯＰ広告（Ｐｏｉｎｔ  оｆ  ｐｕｒｃｈａｓｅ）等、商品棚に製品に添えて備える販売促進のための広告に表示してもよいし、ちらし、インターネットホームページ、コマーシャル（テレビやインターネット配信動画）に表示してもよい。
【００４１】
（パンツタイプ使い捨ておむつの実施形態）
図１０はパンツタイプ使い捨ておむつ１００を示している。このパンツタイプ使い捨ておむつ（以下、単におむつともいう。）は、前身頃Ｆｒ及び後身頃Ｂａをなす外装体２０と、この外装体２０の内面に固定され一体化された内装体１０とを有しており、内装体１０は液透過性表面シートと液不透過性裏面側シートとの間に吸収体１３が介在されてなるものである。製造に際しては、外装体２０の内面（上面）に対して内装体１０の裏面がホットメルト接着剤などの接合手段によって接合された後に、内装体１０及び外装体２０が前身頃Ｆｒ及び後身頃Ｂａの境界である奥行き方向（縦方向）中央で折り畳まれ、その両側部が相互に熱溶着又はホットメルト接着剤などによって接合されてサイドシール部２６が形成されることによって、ウエスト開口及び左右一対のレッグ開口が形成されたパンツタイプ使い捨ておむつとなる。
【００４２】
（内装体の構造例）
内装体１０は、不織布などからなる液透過性表面シートと、ポリエチレン等からなる液不透過性裏面側シートとの間に、吸収体を介在させた構造を有しており、表面シート１１を透過した排泄液を吸収保持するものである。内装体１０の平面形状は特に限定されないが、図示形態のようにほぼ長方形とすることが一般的である。
【００４３】
吸収体１３の表面側（肌当接面側）を覆う液透過性表面シートとしては、有孔又は無孔の不織布や多孔性プラスチックシートなどが好適に用いられる。不織布を構成する素材繊維は、ポリエチレン又はポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。液透過性表面シートに多数の透孔を形成した場合には、尿などが速やかに吸収されるようになり、ドライタッチ性に優れたものとなる。液透過性表面シートは、吸収体１３の側縁部を巻き込んで吸収体１３の裏面側まで延在してもよい。
【００４４】
吸収体１３の裏面側（非肌当接面側）を覆う液不透過性裏面側シートは、ポリエチレン又はポリプロピレンなどの液不透過性プラスチックシートが用いられるが、近年はムレ防止の点から透湿性を有するものが好適に用いられる。この遮水・透湿性シートは、例えばポリエチレンやポリプロピレン等のオレフィン樹脂中に無機充填材を溶融混練してシートを形成した後、一軸又は二軸方向に延伸することにより得られる微多孔性シートである。
【００４５】
吸収体１３としては、公知のもの、例えばパルプ繊維の積繊体、セルロースアセテート等のフィラメントの集合体、あるいは不織布を基本とし、必要に応じて高吸収性ポリマーを混合、固着等してなるものを用いることができる。この吸収体１３は、形状及びポリマー保持等のため、必要に応じてクレープ紙等の、液透過性及び液保持性を有する包装シートによって包装することができる。
吸収体１３の形状は、股間部に前後両側よりも幅の狭い括れ部分を有するほぼ砂時計状、長方形状等、適宜の意形状とすることができる。
【００４６】
内装体１０の両側部には脚周りにフィットする立体ギャザーＢＳが形成されている。この立体ギャザーＢＳは、内装体の裏面の側部に固定された固定部と、この固定部から内装体の側方を経て内装体の表面の側部まで延在する本体部と、本体部の前後端部が倒伏状態で内装体の表面の側部に固定されて形成された倒伏部分と、この倒伏部分間が非固定とされて形成された自由部分とが、折り返しによって二重シートとしたギャザー不織布により形成されている。
【００４７】
また、二重シート間には、自由部分の先端部等に細長状ギャザー弾性部材が配設されている。ギャザー弾性部材は、製品状態において二点鎖線で示すように、弾性伸縮力により自由部分を起立させて立体ギャザーＢＳを形成するためのものである。
【００４８】
液不透過性裏面側シートは、液透過性表面シートとともに吸収体１３の幅方向両側で裏側に折り返されていてもよい。この液不透過性裏面側シートとしては、排便や尿などの褐色が出ないように不透明のものを用いるのが望ましい。不透明化としては、プラスチック中に、炭酸カルシウム、酸化チタン、酸化亜鉛、ホワイトカーボン、クレイ、タルク、硫酸バリウムなどの顔料や充填材を内添してフィルム化したものが好適に使用される。
【００４９】
ギャザー弾性部材としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。また、外側から見え難くするため、太さは９２５ｄｔｅｘ以下、テンションは１５０〜３５０％、間隔は７．０ｍｍ以下として配設するのがよい。なお、ギャザー弾性部材としては、図示形態のような糸状の他、ある程度の幅を有するテープ状のものを用いることもできる。
【００５０】
前述のギャザー不織布を構成する素材繊維も液透過性表面シートと同様に、ポリエチレン又はポリプロピレン等のオレフィン系、ポリエステル系、アミド系等の合成繊維の他、レーヨンやキュプラ等の再生繊維、綿等の天然繊維とすることができ、スパンボンド法、サーマルボンド法、メルトブローン法、ニードルパンチ法等の適宜の加工方法に得られた不織布を用いることができるが、特にはムレを防止するために坪量を抑えて通気性に優れた不織布を用いるのがよい。さらにギャザー不織布１５については、尿などの透過を防止するとともに、カブレを防止しかつ肌への感触性（ドライ感）を高めるために、シリコン系、パラフィン金属系、アルキルクロミッククロイド系撥水剤などをコーティングした撥水処理不織布を用いるのが望ましい。
【００５１】
（外装体の構造例）
外装体２０は、第１シート層及び第２シート層の間に、弾性部材が配設され、幅方向の伸縮性が付与されている。外装体２０の平面形状は、中間両側部にそれぞれレッグ開口を形成するために形成された凹状の脚周りライン２９により、全体として擬似砂時計形状をなしている。外装体２０は、前後に二分割し、両者が股間部で奥行き方向に離間するように配置しても良い。
【００５２】
より詳細に説明すると、図示形態の外装体２０においては、前身頃Ｆｒと後身頃Ｂａとが接合されたサイドシール部２６の縦方向範囲として定まる領域Ｔのうち、胴回り領域２
３の伸縮応力を、腰周り領域ＴＸの伸縮応力より、大きく形成したものである。これにより、胴回り部を適度に締め付ける伸縮力を与えることができる。
【００５３】
この胴回り領域としては、前述の弾性部材を有する外装体２０の延在部分を内面側に折り返した折り返し部分で構成している。
【００５４】
第１シート層及び第２シート層の構成材は、シート状のものであれば特に限定なく使用できるが、通気性及び柔軟性の観点から不織布を用いることが好ましい。不織布は、その原料繊維が何であるかは特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。不織布を用いる場合、その目付けは１０〜２５ｇ／ｍ2程度とするのが好ましい。また、第１シート層及び第２シート層は、その一部又は全部が一枚の資材を折り返して対向させた一対の層であっても良い。
【００５５】
本実施形態では、外装体２０における前身頃Ｆｒの胴回り領域Ｔ、後身頃Ｂａの胴回り領域Ｔ、及びそれらの間の中間領域Ｌに、伸縮シートによる積層伸縮構造２０Ｘが形成される形態を採用することができる。
そして、第１シート層と、第２シート層との間に弾性部材が積層されてなるとともに、弾性部材が幅方向に伸長された状態で、第１シート層及び第２シート層が、伸縮方向（幅方向）及びこれと直交する方向（奥行き方向）にそれぞれ間隔を空けて配列された多数の接合部４０で、接合されている。
【００５６】
このような積層伸縮構造２０Ｘでは、基本的に、接合部４０の面積率が高くなるほど第１シート層及び第２シート層が弾性フィルムにより収縮する部分が少なくなるため、弾性限界伸びが低下する傾向がある。
【００５７】
（前後押さえシート）
外装体２０の内面上に取り付けられた内装体１０の前後端部をカバーし、かつ内装体１０の前後縁からの漏れを防ぐために、前後押さえシート５０，６０が設けられていても良い。さらに詳細に説明すると、前押さえシート５０は、前身頃Ｆｒ内面のうち、ウエスト側端部の折り返し部分２０Ｃの内面から、内装体１０の前端部と重なる位置まで幅方向全体にわたり延在しており、後押さえシート６０は、後身頃Ｂａ内面のうち、ウエスト側端部の折り返し部分２０Ｃの内面から、内装体１０の後端部と重なる位置まで幅方向全体にわたり延在している。前後押さえシート５０，６０の股間側の縁部に幅方向の全体にわたり（中央部のみでも良い）若干の非接着部分を設けると、接着剤がはみ出ないだけでなく、この部分を表面シートから若干浮かせて防漏壁として機能させることができる。
【００５８】
図示形態のように、前後押さえシート５０，６０を別体として取り付けると、素材選択の自由度が高くなる利点があるものの、資材や製造工程が増加する等のデメリットもある。そのため、外装体２０をおむつ内面に折り返してなる折り返し部分２０Ｃを、内装体１０と重なる部分まで延在させて、前述の押さえシート５０，６０と同等の部分を形成することもできる。
【００５９】
（胴回り長さ）
図１０の形態に示すように、パンツタイプ使い捨ておむつ１００の胴回り長さ３０Ｌは、展開状態では胴回り長さ領域Ｔにおける腹側の幅方向長さＷ１と背側の幅方向長さＷ２の和で表される。しかしながら、領域Ｔに備わる弾性部材により長さＷ１とＷ２は伸縮するので、所定の胴回り長さの範囲に含まれる装着者が同パンツタイプ使い捨ておむつ１１０を装着することが可能となる。
【００６０】
装着者がこのパンツタイプ使い捨ておむつ１００を装着すると、図４に示すような立体構造となり、背腹方向ＬＤの両端縁３０の周長が胴回り長さ３０Ｌとなる。
【００６１】
（テープタイプ使い捨ておむつの実施形態）
図１１はテープタイプ使い捨ておむつ１１０ａの輪郭を表している。テープタイプ使い捨ておむつ１１０ａは背腹方向ＬＤ及び幅方向ＷＤに延在する。中央部Ｚから背腹方向ＬＤの端縁側かけて幅Ｗ４からなる腹側部分Ｆと幅Ｗ３からなる背側部分Ｂが延在する。背側部分Ｂの幅方向両端縁から幅方向ＷＤの外方に連結テープ１３、１３が備わる。また、テープタイプ使い捨ておむつ１１０ａは方形や台形、背腹方向ＬＤの中央部Ｚが端縁側より狭まった、いわゆる、砂時計等適宜の形態を採用できる。
【００６２】
（連結テープ）
背側部分Ｂにおける幅方向両端縁には、腹側部分Ｆの外面に対して着脱可能に連結される連結テープ１３がそれぞれ設けられている。おむつ１００ａの装着に際しては、連結テープ１３を腰の両側から腹側部分Ｆの外面に回して、連結テープ１３を腹側部分Ｆ外面の適所に連結する。
【００６３】
連結テープ１３の構造は特に限定されないが、背側部分Ｂにおける幅方向両端縁に固定されたテープ取付部１３Ｃ、及びこのテープ取付部１３Ｃから突出するテープ本体部１３Ｂをなすシート基材と、このシート基材におけるテープ本体部１３Ｂの幅方向中間部に設けられた、腹側に対する連結部１３Ａとを有し、この連結部１３Ａより先端側が摘み部となっている。
【００６４】
連結部１３Ａとしては、メカニカルファスナー（面ファスナー）のフック材（雄材）を設ける他、粘着剤層を設けてもよい。フック材は、その連結面に多数の係合突起を有するものであり、係合突起の形状としては、（Ａ）レ字状、（Ｂ）Ｊ字状、（Ｃ）マッシュルーム状、（Ｄ）Ｔ字状、（Ｅ）ダブルＪ字状（Ｊ字状のものを背合わせに結合した形状のもの）等が存在するが、いずれの形状であっても良い。
【００６５】
また、テープ取付部１３Ｃからテープ本体部１３Ｂまでを形成するシート基材としては、不織布、プラスチックフィルム、ポリラミ不織布、紙やこれらの複合素材を用いることができるが、繊度１．０〜３．５ｄｔｅｘ、目付け２０〜１００ｇ／ｍ2、厚み１ｍｍ以下のスパンボンド不織布、エアスルー不織布、又はスパンレース不織布が好ましい。また、２つのシート間に伸縮部材を挟みこんだ伸縮シートを用いることもできる。
【００６６】
（ターゲットシート）
腹側部分Ｆにおける連結テープ１３の連結箇所には、連結を容易にするためのターゲットを有するターゲットシート１４を設けるのが好ましい。ターゲットシート１４は、連結部１３Ａがフック材の場合、フック材の係合突起が絡まるようなループ糸がプラスチックフィルムや不織布からなるシート基材の表面に多数設けられたものを用いることができ、また粘着材層の場合には粘着性に富むような表面が平滑なプラスチックフィルムからなるシート基材の表面に剥離処理を施したものを用いることができる。また、腹側部分Ｆにおける連結テープ１３の連結箇所が不織布からなる場合、例えば図示形態のように外装不織布を有する場合には、ターゲットシート１４を省略し、フック材を外装不織布の繊維に絡ませて連結することもできる。この場合、目印としてのターゲットシート１４を外装不織布とこの外装不織布の身体側に配される液不透過性樹脂フィルムとの間に設けてもよい。
【００６７】
装着者がテープタイプ使い捨ておむつ１００ａを装着すると、背腹方向ＬＤにおいて、腹側部分Ｆの端縁部と背側部分Ｂの端縁部とが、装着者の腰の周方向に沿って配置される。連結テープ１３、１３を腹側部分Ｆ外面に連結する箇所により、装着者は自身の腰回り長さに適合させて、テープタイプ使い捨ておむつ１００ａを装着することができる。
【００６８】
装着者がこのテープタイプ使い捨ておむつ１００ａを装着すると、図５に示すような立体構造となり、背腹方向ＬＤのエンドフラップ部３０ａの周長が腰回り長さ３０Ｌａとなる。
【００６９】
(その他)
吸収性物品を取得（購入）する消費者は、装着者本人である場合もあれば、介護者である場合もある。装着者（被介護者）を介護する際、例えば、座っている被介護者を立たせるときに介護者は、被介護者の腰に両腕を回し、片方の手でもう片方の腕を掴み輪を形成させて抱きかかえつつ、被介護者を立たせることがある。この経験から介護者は両腕で輪を形成することで被介護者のおおよその胴回り長さを感覚的に測ることができる。装着者が店頭にいない場合でも介護者が包装袋１に両腕を回して輪を形成することで、適合サイズの吸収性物品を取得することができる。
【００７０】
本発明は、胴回り長さ又は腰回り長さのサイズの違い、例えばＳサイズやＭサイズによって、包装袋１の外周長さが異なることになる。例えば、Ｓサイズのパンツタイプ使い捨ておむつであれば、およそ包装袋１に５〜７枚収容され、５０ｃｍと７０ｃｍの包装袋外周長さを含む製品となる。
【産業上の利用可能性】
【００７１】
本発明は、パンツタイプ使い捨ておむつ、テープタイプ使い捨ておむつ等の吸収性物品の包装袋に利用されるものである。
【符号の説明】
【００７２】
１…包装袋、２ａ…左側面、２ｂ…右側面、３…前面、４…後面、５…上面、６…下面、７…上端部、８…下端部、９…持ち部、３０Ｌ…胴回り長さ、３０Ｌａ…胴回り長さ、１１０…吸収性物品。
【図１】
2020158195.tif 000003
【図２】
2020158195.tif 000004
【図３】
2020158195.tif 000005
【図４】
2020158195.tif 000006
【図５】
2020158195.tif 000007
【図６】
2020158195.tif 000008
【図７】
2020158195.tif 000009
【図８】
2020158195.tif 000010
【図９】
2020158195.tif 000011
【図１０】
2020158195.tif 000012
【図１１】
2020158195.tif 000013
【図１２】
2020158195.tif 000014
【図１３】
2020158195.tif 000015
【図１４】
2020158195.tif 000016
【図１５】
2020158195.tif 000017
【図１６】
2020158195.tif 000018